(57)【要約】【課題】  実際にコンタクトガラスが汚れているときに画像補正を有効にすることによって、副作用なくスジ画像をなくす。【解決手段】  シートスルー方式の自動原稿送り装置２を備えた画像読み取り装置において、原稿読み取り前にコンタクトガラス３に対向して配置した背景板９を読み取り、コンタクトガラス３の読み取り位置での汚れの有無を判断する汚れ有無判断機能を有する。【選択図】  図２
2006109368.tif 000002
【特許請求の範囲】
【請求項１】
シートスルー方式の自動原稿送り装置を備えた画像読み取り装置であって、コンタクトガラス直下に読取手段を備えると共に、コンタクトガラス上には搬送スペースを介して背景板を配置したものにおいて、原稿読み取り前に上記読取手段を動作させて前記コンタクトガラスに対向して配置した背景板を読み取り、前記コンタクトガラスの読み取り位置での汚れの有無を判断する制御手段を備えたことを特徴とする画像読み取り装置。
【請求項２】
請求項１記載の画像読み取り装置において、前記制御手段は、前記コンタクトガラスに汚れが存在する場合、画像補正を行う画像補正機能を有することを特徴とする画像読み取り装置。
【請求項３】
請求項２記載の画像読み取り装置において、前記画像補正機能は、特定画素の異常を周辺画素データで補正するスジ画像補正機能であることを特徴とする画像読み取り装置。
【請求項４】
請求項２記載の画像読み取り装置において、前記制御手段は、コンタクトガラスの汚れのレベルを判断するレベル判断機能を有し、汚れのレベルに応じて画像補正を行うことを特徴とする画像読み取り装置。
【請求項５】
請求項２記載の画像読み取り装置において、前記制御手段は、前記コンタクトガラスの読み取り位置で汚れを検知した場合に読み取り位置を移動し、移動後にも汚れを検知した場合に画像補正を行うことを特徴とする画像読み取り装置。
【発明の詳細な説明】
【技術分野】
【０００１】
本発明は、複写機、ファクシミリ装置などの画像読み取り装置に関する。
【背景技術】
【０００２】
読み取り光学系を固定して、原稿を搬送しながら読み取るシートスルー読み取り方式の画像読み取り装置の場合、コンタクトガラス上の汚れが画像上スジになって出てしまうという問題がある。コンタクトガラスを汚れにくくしたとしても、全くゴミが付着しないようにはできない。
例えば、特許文献１には、コンタクトガラスが汚れていた場合に読み取りを禁止する制御を行う技術が提案されている。
【特許文献１】特開２００２−１８５７２７公報
【発明の開示】
【発明が解決しようとする課題】
【０００３】
特開２００２−１８５７２７公報記載の技術では、コンタクトガラスが汚れてしまうと装置を使用することができなくなってしまうという問題がある。
上述した画像上スジは、周辺画素のデータで補正することによってなくすこともできる。しかし、画像データ上の異常画素がコンタクトガラスの汚れかどうかを正確に判断するのは困難である。原稿上のケイ線を誤って汚れと認識してしまうこともあり得る。コンタクトガラスが汚れていないときに画像補正を働かせると、このような副作用が発生する。
本発明は、実際にコンタクトガラスが汚れているときに画像補正を有効にすることによって、副作用なくスジ画像をなくすことを目的とする。
【課題を解決するための手段】
【０００４】
上記目的を達成するために、請求項１記載の発明は、シートスルー方式の自動原稿送り装置を備えた画像読み取り装置であって、コンタクトガラス直下に読取手段を備えると共に、コンタクトガラス上には搬送スペースを介して背景板を配置したものにおいて、原稿読み取り前に上記読取手段を動作させて前記コンタクトガラスに対向して配置した背景板を読み取り、前記コンタクトガラスの読み取り位置での汚れの有無を判断する制御手段を備えたことを特徴とする。
請求項２記載の発明は、請求項１記載の画像読み取り装置において、コンタクトガラスに汚れが存在する場合、画像補正を行う画像補正機能を有する画像読み取り装置を主要な特徴とする。
請求項３記載の発明は、請求項２記載の画像読み取り装置において、画像補正機能は、特定画素の異常を周辺画素データで補正するスジ画像補正機能である画像読み取り装置を主要な特徴とする。
請求項４記載の発明は、請求項２記載の画像読み取り装置において、コンタクトガラスの汚れのレベルを判断するレベル判断機能を有し、汚れのレベルに応じて画像補正を行う画像読み取り装置を主要な特徴とする。
請求項５記載の発明は、請求項２記載の画像読み取り装置において、コンタクトガラスの読み取り位置で汚れを検知した場合に読み取り位置を移動し、移動後にも汚れを検知した場合に画像補正を行う画像読み取り装置を主要な特徴とする。
【発明の効果】
【０００５】
本発明は、シートスルー方式の自動原稿送り装置を備えた画像読み取り装置において、原稿読み取り前にコンタクトガラスに対向して配置した背景板を読み取り、コンタクトガラスの読み取り位置での汚れの有無を判断する汚れ有無判断機能を有することで、所期の目的を達成することができる。
【発明を実施するための最良の形態】
【０００６】
以下、本発明の実施の形態を図面に従って説明する。
図１は本発明の実施の形態に係る画像読み取り装置の構成図である。本画像読み取り装置は、画像形成装置本体１と、その上面に配置された自動原稿送り装置２とから構成されている。
自動原稿送り装置２により原稿を１枚ずつ搬送し、装置本体１のコンタクトガラス３上を原稿が通過する間に画像を読み取る。原稿上の画像は、光源Ｌから出射された光の反射光として装置本体１のミラー４、５、６、レンズ７を通って、ＣＣＤ８に結像される。ＣＣＤ８によって取り込まれた画像データは、画像処理を施された後、図示しないプリンタ部へ送られ出力される。光源Ｌ、ミラー４、５、６、レンズ７、ＣＣＤ８は読取手段を構成している。
本発明の画像読み取り装置は、実際の原稿を読み取る前に、コンタクトガラス３上の対向位置（搬送スペースを介した位置）に設置された背景板９を読み取り、コンタクトガラス３の汚れを検知する機能を備えている。具体的には、白い背景板９を読み取ったデータの中に、黒部を認識した場合に、コンタクトガラス３が汚れていると判断する。
上記機能、及び以下の各機能は、何れも図示しない制御手段（ＣＰＵ等）によって各種制御対象を制御することによって実現される。
また、本発明の画像読み取り装置は、原稿を読み取ったデータの中に、狭い範囲での黒部を検出した場合に、周囲の画像データで補間する機能（スジ画像補正機能）を備えている。例えば、通常の原稿にはないような、非常に細いスジに対しては、コンタクトガラス３の汚れによるものである可能性が高いため、この機能により、画像上のスジをなくすことが可能である。
【０００７】
（実施例１）
図２は実施例１の処理を示すフローチャートである。制御手段による制御によって読取手段が作動して背景板９を読み取り(Ｓ１)、読取情報中からコンタクトガラス３に汚れがないと判断したら(Ｓ２でＮ)、制御手段はスジ画像補正機能は動作させずに(Ｓ３)、画像読み取り動作を行う(Ｓ４)。
制御手段は、コンタクトガラス３に汚れがあると判断した場合には(Ｓ２でＹ)、スジ画像補正機能を動作させ(Ｓ５)、画像読み取り動作を行い(Ｓ６)、画像データからスジを除去する。
（実施例２）
本実施例では、実際の原稿を読み取る前に背景板９を読み取り、コンタクトガラス３の汚れのレベルを検知する機能を備えている。汚れのレベルは、例えば、読み取ったデータの黒部のレベルと幅で判断する。具体的には、汚れの大きさ、周辺画素との濃度差等により汚れのレベルをランクづけする。
図３は実施例２の処理を示すフローチャートである。制御手段は、読取手段を作動させて背景板９を読み取り(Ｓ１)、コンタクトガラス３に汚れがないと判断したら(Ｓ２でＮ)、スジ画像補正機能は動作させずに(Ｓ３)、画像読み取り動作を行う(Ｓ４)。
コンタクトガラス３に汚れがあると判断した場合には(Ｓ２でＹ)、汚れのレベルを判定し(Ｓ５)、そのレベルに応じて、スジ画像補正強度を決定し(Ｓ６)、スジ画像補正機能を動作させ(Ｓ７)、画像読み取り動作を行い(Ｓ８)、画像データからスジを除去する。
【０００８】
（実施例３）
本実施例では、背景板９を読み取り、読み取り位置での汚れのレベルを判断する機能、特定画素の異常を周辺画素データで補正し補正強度を可変とする画像補正機能、読み取り位置を移動する機能を備えている。
図４は実施例３の処理を示すフローチャートである。制御手段が読取手段を制御することにより、背景板９を読み取り(Ｓ１)、コンタクトガラス３に汚れがないと判断したら(Ｓ２でＮ)、スジ画像スジ画像補正機能は動作させずに(Ｓ３)、画像読み取り動作を行う(Ｓ４)。
コンタクトガラス３に汚れがあると判断した場合には(Ｓ２でＹ)、読み取り位置を移動する(Ｓ５)。具体的な移動方法としては、例えば、ミラー、光源を搭載したキャリッジを移動させるような方法がある。通常の画像読み取り装置では、ステッピングモータ等を使用して、キャリッジを移動させてブック原稿を読み取る方式が一般的であり、モータに所定のパルスを与えることにより、容易に読み取り位置を移動させることができる。
読み取り位置を移動し、そこで、再度背景板９を読み取り(Ｓ６)、コンタクトガラス３の汚れをチェックする(Ｓ７)。ここで、コンタクトガラス３に汚れがなければ、スジ画像補正機能は動作させずに(Ｓ３)、画像読み取り動作を行う(Ｓ４)。コンタクトガラス３に汚れがあると判断した場合には、スジ画像補正機能を動作させ(Ｓ８)、画像読み取り動作を行い(Ｓ９)、画像データからスジを除去する。
本実施例では、読み取り位置の移動が１回だけであるが、複数回移動させてもよい。例えば、３回移動しても汚れがあると判断した場合に、スジ画像補正機能を動作させるようにしてもよい。また、実施例２のように、ガラスの汚れのレベルに対応した、スジ画像補正強度を設定するようにしてもよい。
第１の実施例では、コンタクトガラス３が汚れても、画像補正機能を働かせて画像読み取りを行うため、スジのない画像読み取りが可能である。
第２の実施例では、コンタクトガラス３の汚れのレベルに応じて、適切な強度で画像補正機能を働かせるため、スジのない画像読み取りが可能である。
第３の実施例では、コンタクトガラス３に汚れがあった場合に、最初に読み取り位置の移動により汚れを回避し、移動した読み取り位置にも汚れがある場合に、画像補正を行うため、画像補正による副作用を最小限に押さえることができる。
【図面の簡単な説明】
【０００９】
【図１】本発明の実施の形態に係る画像読み取り装置の構成図である。
【図２】実施例１の処理を示すフローチャートである。
【図３】実施例２の処理を示すフローチャートである。
【図４】実施例３の処理を示すフローチャートである。
【符号の説明】
【００１０】
１  装置本体
２  自動原稿送り装置
３  コンタクトガラス
９  背景板
【図１】
2006109368.tif 000003
【図２】
2006109368.tif 000004
【図３】
2006109368.tif 000005
【図４】
2006109368.tif 000006